(57)【要約】      （修正有）【課題】操作性のよい、タッチパネルに負荷をかけない入力装置を提供する。【解決手段】ユーザが接触検知センサに触れ（Ｓ１ステップ）、指を移動すると（Ｓ２ステップ）、携帯電話のディスプレイには、ＲＡＭに格納されている電話帳データを順に切換え表示させ（Ｓ４ステップ）、ユーザが指を停止させて（Ｓ５ステップ）も、電話帳データの切換え表示が継続して実行される（Ｓ６ステップ）。ユーザが接触感知センサから指を離すと（Ｓ７ステップ）、電話帳データの切換え表示を停止する（Ｓ８ステップ）。【選択図】図４
2007109127.tif 000002
【特許請求の範囲】
【請求項１】
パネルに触れることにより操作可能な入力装置であり、
パネル上の指の移動を検知する移動検知手段と、指の停止を検知する停止検知手段と、
前記移動検知手段の指の移動検知に伴い所定の動作を実行し、続いて前記停止検知手段が指の停止を検知しても、前記所定の動作の実行を継続させる制御装置と、を有することを特徴とする入力装置。
【請求項２】
請求項１記載の入力装置であり、更に、指が離れたことを検知する離間検知手段を有し、
前記停止検知手段が指の停止を検知した後に、前記離間検知手段が指が離れたことを検知すると、前記制御手段が前記所定の動作の実行を停止するように制御することを特徴とする入力装置。
【請求項３】
パネルに触れることにより操作可能な入力装置であり、
指の移動を検知する移動検知手段と、指の停止を検知する停止検知手段と、データを複数格納する格納手段と、表示手段と、
前記移動検知手段の指の移動検知に伴い前記格納手段に格納されている複数データの切換え表示を実行し、続いて前記停止検知手段が指の停止を検知しても、前記切換え表示を継続させる制御装置と、を有することを特徴とする入力装置。
【請求項４】
請求項３記載の入力装置であり、更に、指が離れたことを検知する離間検知手段を有し、
前記停止検知手段が指の停止を検知した後に、前記離間検知手段が指が離れたことを検知すると、前記制御手段が、指の離間時における前記表示手段の表示状態を維持するように制御することを特徴とする入力装置。
【請求項５】
パネルに触れることにより操作可能な入力装置であり、
指の移動を検知する移動検知手段と、指の移動速度を検知する移動速度検知手段と、指の停止を検知する停止検知手段と、データを複数格納する格納手段と、表示手段と、
前記移動検知手段の指の移動検知に伴い前記格納手段に格納されている複数データの切換え表示を実行し、前記移動速度検知手段の検知する指の移動速度に応じて、表示切替速度を変更し、前記停止検知手段が指の停止を検知した際に、前記切換表示を継続すると共に表示切替速度も指を停止する直前の移動速度に維持する制御装置と、を有することを特徴とする入力装置。
【発明の詳細な説明】
【技術分野】
【０００１】
本発明は、操作部表面に接触検知センサが設けられた入力装置に関する。
【背景技術】
【０００２】
従来の携帯電話装置には、テンキーなどの各入力ボタンの表面に接触検知センサをそれぞれ設け、ユーザがこの接触検知センサに接触することにより、入力ボタンを押下することなく、その接触した入力ボタンに該当する入力情報をディスプレイにそのまま入力することができるものが知られている（下記特許文献１参照）。
【０００３】
又、指で回転させる回転式の操作部を有する携帯電話装置が既に製品化されており、又、このような回転式の操作部を有する携帯電話装置も公開特許公報にて開示されている（例えば、特許文献２参照）。
【特許文献１】特開２００１−３３３１６６号公報
【特許文献２】特開２００４−２６０６３１号公報
【発明の開示】
【発明が解決しようとする課題】
【０００４】
上記特許文献２に記載されているような、回転式の操作部を有する携帯電話装置を用いて、例えば電話帳に登録されている相手先を選択する際には、ユーザが携帯電話装置を持ちながら親指で回転式の操作部を回転させることにより、相手先を次々と切換表示させ、所望の相手先が表示された時点でユーザが操作部の回転をやめることにより、切換表示を停止させ、所望の相手先の情報（例えば、氏名、電話番号、メールアドレス等）を画面上に表示させることができる。
【０００５】
又、相手先を次々と切換表示させる場合には、ユーザが繰り返し回転式の操作部を回転させなければならない。これでは、回転式の操作部を回転させる親指が疲れてくるため、ユーザにとって非常に使い勝手が悪い。又、このような問題は、電話帳に登録されている相手先の件数が多ければ多いほど顕著に現れてくる。
【０００６】
又、特許文献１に記載のディスプレイにタッチすることにより情報を入力する技術で、電話帳に登録されている相手先を選択する際には、特許文献２に記載の回転式の操作部を操作する要領で、ユーザがディスプレイを繰り返しなぞることにより、電話帳に登録されている相手先を順次切換表示する方法が考えられる。より具体的には、例えば、ユーザがタッチパネル上を左から右へ繰り返しなぞると、電話帳に登録されている相手先を順に切換表示し、右から左へ繰り返しなぞると、電話帳に登録されている相手先を逆に切換表示するようにすることが考えられる。
【０００７】
しかしながら、このような構成とした場合においても、ユーザは、タッチパネルを繰り返しなぞらなければならない為、指が疲れてくるという課題は依然として解決されていないままである。更に、タッチパネルは通常のテンキーや回転式の操作部のように頑丈ではない為、ユーザが同じ場所を繰り返しなぞっていると、その押圧力によりタッチパネルを破壊する恐れがある。
【課題を解決するための手段】
【０００８】
本発明はこのような課題を解決する為のものであり、例えば電話帳に登録されている相手先を切換表示させる際に、ユーザの指がつかれることがなく、又、タッチパネルに負荷をかけずに切換表示可能な携帯電話装置を提供するものである。
【０００９】
請求項１に記載の発明は、パネルに触れることにより操作可能な入力装置であり、パネル上の指の移動を検知する移動検知手段と、指の停止を検知する停止検知手段と、前記移動検知手段の指の移動検知に伴い所定の動作を実行し、続いて前記停止検知手段が指の停止を検知しても、前記所定の動作の実行を継続させる制御装置と、を有することを特徴とする。
請求項２に記載の発明は、請求項１記載の入力装置であり、更に、指が離れたことを検知する離間検知手段を有し、前記停止検知手段が指の停止を検知した後に、前記離間検知手段が指が離れたことを検知すると、前記制御手段が前記所定の動作の実行を停止するように制御することを特徴とする。
請求項３に記載の発明は、パネルに触れることにより操作可能な入力装置であり、指の移動を検知する移動検知手段と、指の停止を検知する停止検知手段と、データを複数格納する格納手段と、表示手段と、前記移動検知手段の指の移動検知に伴い前記格納手段に格納されている複数データの切換え表示を実行し、続いて前記停止検知手段が指の停止を検知しても、前記切換え表示を継続させる制御装置と、を有することを特徴とする。
請求項４に記載の発明は、請求項３記載の入力装置であり、更に、指が離れたことを検知する離間検知手段を有し、前記停止検知手段が指の停止を検知した後に、前記離間検知手段が指が離れたことを検知すると、前記制御手段が、指の離間時における前記表示手段の表示状態を維持するように制御することを特徴とする。
請求項５に記載の発明は、パネルに触れることにより操作可能な入力装置であり、指の移動を検知する移動検知手段と、指の移動速度を検知する移動速度検知手段と、指の停止を検知する停止検知手段と、データを複数格納する格納手段と、表示手段と、前記移動検知手段の指の移動検知に伴い前記格納手段に格納されている複数データの切換え表示を実行し、前記移動速度検知手段の検知する指の移動速度に応じて、表示切替速度を変更し、前記停止検知手段が指の停止を検知した際に、前記切換表示を継続すると共に表示切替速度も指を停止する直前の移動速度に維持する制御装置と、を有することを特徴とする。
【発明の効果】
【００１０】
本発明は、ユーザが楽に操作できるだけでなく、タッチパネルのような操作部に負荷がかかることを防止することが可能である。
【００１１】
請求項１記載の発明によれば、ユーザがタッチパネル上をなぞることにより所定の動作を実行され、ユーザが指の移動を停止すると所定の動作の実行も停止される為、ユーザが所定の動作を継続して実行させる為に何度もタッチパネルを繰り返しなぞる必要がなく、ユーザにとって非常に使いやすい。
【００１２】
請求項２記載の発明によれば、ユーザが指を離しただけで所定の動作の実行が停止される為、ユーザにとって非常に使いやすい。
【００１３】
請求項３記載の発明によれば、ユーザがタッチパネル上をなぞることによりデータの切換え表示が実行され、ユーザが指の移動を停止すると切換え表示も停止される為、ユーザが切換え表示を継続して実行させる為に何度もタッチパネルを繰り返しなぞる必要がなく、ユーザにとって非常に使いやすい。
【００１４】
請求項４記載の発明によれば、ユーザが指を離しただけで切換え表示が停止される為、所望のデータが切換え表示された時点で、ユーザが所望のデータをじっくりと確認することができる。
【００１５】
請求項５記載の発明によれば、ユーザの指の移動速度に応じて切換え表示速度も変わるだけでなく、ユーザが指を停止させた際に、切換え表示速度を維持したまま自動的に切換え表示させることができる為、ユーザがメモリの最後のアドレスに格納されているデータを早く表示させたい際や、データを早く切換えて表示させデータの確認を早く済ませたい際には、簡単な操作でこれを実行することができる。
【発明を実施するための最良の形態】
【００１６】
次に、本発明の入力装置を搭載した電子機器（例えば、携帯電話装置）について図面を参照して説明する。
【００１７】
図１は本発明を適用してなる実施例装置の斜視図である。
【００１８】
図１に示す携帯電話装置は、通常のテンキー４８の他に、接触検知センサ５６を搭載している。前記接触検知センサ５６は、ユーザの指が触れたか否かを検知するセンサであり、テンキー４８のキートップと、携帯電話装置筐体の一部表面（図１の点線で囲った部分）に配置されている。このような構成である為、ユーザはテンキー４８を押下操作することが可能であり、又、接触検知センサ５６をなぞることにより、アイコンを移動させたり電話帳に登録されている相手先を切換え表示することが可能である。
【００１９】
図２は、本実施例装置のブロック図である。図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００２０】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検知を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２１】
また、ベースバンド部１４には、切換回路２２が接続されている。この切換回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２２】
また、切換回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２３】
また、切換回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２４】
この切換回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２５】
また、通信部１２、ベースバンド部１４、切換回路２２には、制御回路（制御部）３６がそれぞれ接続されている。この制御回路３６の制御により上述した切換回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００２６】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、カーソルを所定の方向に移動させるカーソルキー５５と、を有している。また、図３に示すように、テンキー４８、携帯電話装置筐体の表面には、ユーザが接触したことを検知する接触検知センサ５６が設けられている。この接触検知センサ５６は、従来から知られているものであり、例えば、透明電極等が用いられている。この接触検知センサ５６は、例えばフレキシブルプリント基板（図示せず）を介して回路基板５８と接続されており、又、回路基板５８は複数の信号ライン６０を介して制御回路３６と電気的に接続されている。前記接触検知センサ５６は、テンキー４８分の個数分と筐体表面上に載置している個数分（図示していないが例えば、６個）の合計の数だけ搭載されている。言うまでもなく、筐体表面上に載置している接触検知センサ５６の数を上げれば検知精度が向上する。
【００２７】
また、制御回路３６には、所定の色のＬＥＤ素子を備えた照明部４６が接続されている。照明部４６のＬＥＤ素子の発光により、ディスプレイ（表示部）４２が所定の色に施される。
【００２８】
また、制御回路３６には、制御回路３６の動作に必要な所定の情報が記憶されているＲＡＭ４０が接続されている。ＲＡＭ４０には、例えば、相手先の氏名、電話番号、メールアドレス、とからなる相手先情報からなる電話帳データを格納している。勿論、この相手先情報は複数格納可能である。
【００２９】
次に、本実施形態に係る携帯電話装置１０の制御方法について、図４に示すフローチャート、図５の携帯電話斜視図、ディスプレイ４２の表示形態図である図６、の３つの図面に基づいて説明する。
【００３０】
図５のＡの位置からＢの位置までユーザが指でなぞる際の動作について以下に説明する。
【００３１】
先ず、ＲＡＭ４０に格納されている電話帳データの先頭の相手先を表示している状態（例えば、図６（ａ）の表示状態）で、図４のＳ１ステップにおいて、制御回路３６は、接触検知センサ５６のいずれかのセンサが指の接触を検知したと判定すると、Ｓ２ステップへ処理を進める。具体的には、制御回路３６は、信号ライン６０のいずれかのラインの信号レベルが変化した（例えは、ＧＮＤレベルから０．５■の電位に
電位が変化した）と判定すると、指が接触したと判定する。
【００３２】
Ｓ２ステップでは、制御回路３６は、接触検知センサ５６が指の移動を検知したと判定すると、Ｓ４ステップへ処理を進め、そうでなければＳ３ステップへ処理を進める。具体的には、制御回路３６は、回路基板５８から延びている信号ライン６０の各ラインの信号レベルが順に変化（例えば、ＧＮＤレベルから０．５■の電位に電位が
変化）していくと判定すると、指が移動したと判定する。例えば、信号ライン６０の内の３つのライン（仮に、ライン１、ライン２、ライン３とする。）のうち、初めライン１の電位が０．５■であったのに対し、ライン２とライン３はＧＮＤレベルであ
ったとする。この状態で、ライン１とライン３がＧＮＤレベルであると共にライン２が０．５■の状態、から、ライン１とライン２がＧＮＤレベルであると共にライン３
が０．５■の状態、へ変化した場合、前記ライン１〜ライン３に対応する接触検知セ
ンサ５６上を順に指が移動したことになる。
【００３３】
Ｓ３ステップでは、制御回路３６は、接触検知センサ５６が、指が離れたことを検知したと判定すると、Ｓ１ステップへ処理を進め、そうでなければ、Ｓ２ステップへ処理を戻す。具体的には、制御回路３６は、信号ライン６０全てのラインの電位が同じ（例えば、全てＧＮＤレベル）であると判定すると、指が離れたと判定する。
【００３４】
Ｓ４ステップでは、制御回路３６は、ディスプレイ４２を制御することにより、例えば図６の（ａ）の表示状態から、図６の（ｂ）、（ｃ）へと順に表示状態を切り換える。即ち、ＲＡＭ４０に格納されている電話帳データを順に切り替え表示させる。
【００３５】
続くＳ５ステップでは、制御回路３６は、指が停止したと判定すると、Ｓ６ステップへ処理を進め、そうでなければ、Ｓ４ステップへ処理を戻す。具体的には、制御回路３６は、前記Ｓ２ステップでの信号ライン６０の電位の変化がなくなったか否かを判定する。尚、Ｓ５ステップにおいて、指の移動は停止したが、指が接触検知センサ５６から離れていない為、Ｓ２ステップの電位の変化はなくなったが、いずれかのライン６０の電位は０．５■を維持している。
【００３６】
このように、Ｓ１〜Ｓ５ステップにおいて、ユーザが指を移動させている間、ディスプレイ４２に電話帳データが切換え表示される。
【００３７】
Ｓ６ステップでは、制御回路３６は、電話帳データの切り換え表示を継続させる。例えば、図６の（Ｃ）の表示状態から、図６（ｄ）、（ｅ）へと順に表示が切り換わる。
【００３８】
このように、ユーザが指を移動させた後に指を接触検知センサ５６上で停止してもまだ電話帳データの切換え表示が継続されている。
【００３９】
続くＳ７ステップでは、制御回路３６は、前記Ｓ３ステップと同様に、ユーザの指が接触検知センサ５６から離れたと判定すると、Ｓ８ステップへ処理を進め、そうでなければＳ６ステップへ処理を戻す。
【００４０】
Ｓ８ステップでは、制御回路３６は、ディスプレイ４２の切り替え表示を停止させる。例えば、ユーザが指を離した際に、図６（ｆ）の木田さんの情報が表示されている状態であれば、木田さんの情報を表示している状態を維持し、切り替え表示を停止させる。
【００４１】
このように、ユーザが筐体のテンキー４８上や筐体上に配置された接触検知センサ５６に触れてから指を接触検知センサ５６上を移動させると、電話帳データが順に切り替え表示され、ユーザが指の移動を停止し、接触検知センサ５６に指を接触した状態を維持すると、電話帳データの切り替え表示を引き続き継続する。
【００４２】
この為、従来の回転式の操作部のように、ユーザが何回も指で回転操作をしたり、タッチパネルを何度もなぞる必要もないので、操作性が格段に向上するだけでなく、タッチパネルに物理的な負担をかけることがない。
【００４３】
尚、本実施例では、携帯電話装置において実施したが、パーソナルコンピュータやファクシミリ装置、カーナビゲーションシステム、マウスといった、入力装置或いは入力装置を搭載した電子機器にも実施可能である。
【００４４】
又、本実施例では電話帳データを検索する際に実施したが、受信したメールを検索する際や、格納している画像や音楽データを検索する際等にも同様に実施することが可能である。
【００４５】
更に、ユーザの指の移動速度に応じて、電話帳データの表示切換え速度を変えるような構成にしても良い。例えば、ユーザが指の移動速度を早くすると、電話帳データの切換え表示速度が速くなり、ユーザが指の移動速度を遅くすると、電話帳データの切換え表示速度を遅くする構成としても良い。より具体的には、制御回路３６は、先ほど説明したように複数の信号ライン６０（例えばライン１、ライン２、ライン３）から順に信号の変化を検知すると、指が移動したと判定しているが、この複数の信号ライン６０からの信号の入力速度が速くなるほどユーザの指の移動速度が速いと判定する。即ち、ライン１〜３の各ラインが順にＧＮＤレベルから０．５■のレベルに変
化する速度が早いと指の移動速度が速いと判定する。
【００４６】
又、ユーザが指を移動してから停止すると、指を移動していた際の切換え表示速度を維持する構成としても良い。このような構成とすることにより、例えば、電話帳メモリの最後に格納されているデータを見る時には、不要なデータの表示時間を短くすることにより、早く所望のデータを見ることができる。
【図面の簡単な説明】
【００４７】
【図１】本発明の一実施形態に係る携帯電話装置の斜視図である。
【図２】本発明の一実施形態に係る携帯電話装置のブロック図である。
【図３】接触検知センサ５６近傍の断面図である。
【図４】本実施例装置の動作を示すフロー図である。
【図５】本実施例装置の斜視図である。
【図６】ディスプレイ４２の表示形態を示す図である。
【符号の説明】
【００４８】
１０      携帯電話装置
３６      制御回路（制御部）
４２      ディスプレイ（表示部）
４４      入力部（入力ボタン）
５６      接触検知センサ
【図１】
2007109127.tif 000003
【図２】
2007109127.tif 000004
【図３】
2007109127.tif 000005
【図４】
2007109127.tif 000006
【図５】
2007109127.tif 000007
【図６】
2007109127.tif 000008